(57)【要約】【課題】本発明の課題は、適量の粉状化粧料を容易に抜き出すことが可能な粉状化粧料容器を提供することにある。【解決手段】上記課題を解決するために、粉状化粧料を保持する容器本体と、前記容器本体の開口部を閉塞する蓋体と、前記容器本体の内部を、粉状化粧料を収容するための粉末収容室と、塗布具を格納するための塗布具格納室に分割する仕切り部であって、前記粉状化粧料を透過する孔を有する仕切り部と、を備えた粉状化粧料容器において、前記塗布具格納室に塗布具を格納した際に、前記仕切り部と前記塗布具により粉末流入域を形成することを特徴とする粉状化粧料容器を提供する。粉末流入域を形成することにより、塗布具が仕切り部の孔に当接して孔を閉塞しないため、容易に粉状化粧料を抜き出すことができる。【選択図】図１
2018020006.tif 000002
【特許請求の範囲】
【請求項１】
粉状化粧料を保持する容器本体と、
前記容器本体の開口部を閉塞する蓋体と、
前記容器本体の内部を、粉状化粧料を収容するための粉末収容室と、塗布具を格納するための塗布具格納室に分割する仕切り部であって、前記粉状化粧料を透過する孔を有する仕切り部と、を備えた粉状化粧料容器において、
前記塗布具格納室に塗布具を格納した際に、前記仕切り部と前記塗布具により粉末流入域を形成することを特徴とする粉状化粧料容器。
【請求項２】
前記仕切り部又は前記容器本体内壁は、前記塗布具格納室に向かって突出する凸状部材を有し、塗布具を前記凸状部材に載置することにより前記粉末流入域を形成することを特徴とする請求項１記載の粉状化粧料容器。
【請求項３】
前記凸状部材は、前記孔を取り囲むように設置されることを特徴とする請求項２に記載の粉状化粧料容器。
【請求項４】
前記凸状部材は、脱着可能であることを特徴とする請求項２又は３に記載の粉状化粧料容器。
【請求項５】
前記凸状部材は、前記仕切り部の前記孔に脱着可能であることを特徴とする請求項４に記載の粉状化粧料容器。
【請求項６】
前記凸状部材は、脱着可能な装飾具を備えたことを特徴とする請求項２〜５のいずれかに記載の粉状化粧料容器。
【請求項７】
請求項１〜６のいずれかに記載の粉状化粧料容器、前記粉末収容室に収容された粉状化粧料を備えたことを特徴とする化粧品。
【請求項８】
前記請求項４又は５に記載の粉状化粧料容器に取り付けることを特徴とする凸状部材。
【請求項９】
前記請求項６に記載の粉状化粧料容器の前記凸状部材に取り付けることを特徴とする装飾具。
【発明の詳細な説明】
【技術分野】
【０００１】
本発明は、粉状の化粧料を収容する粉状化粧料容器に関するものである。さらに詳しくは、本発明は、本体容器に収容された粉状化粧料を、仕切り部に形成した孔を介して抜き出し、抜き出された粉状化粧料を塗布具に取って使用する粉状化粧料容器に関するものである。
【背景技術】
【０００２】
粉状の化粧料を収容する粉状化粧料容器として、容器本体の内部に複数の孔を有する仕切り部を備え、仕切り部の下方に粉状化粧料を収容し、仕切り部の上方にパフ等の塗布具を格納した容器が知られている。この粉状化粧料容器の使用方法としては、塗布具を格納した状態で容器を倒立させることにより、粉状化粧料を仕切り部の複数の孔から一定量抜き出し、複数の孔から抜き出された粉末化粧料を塗布具に取って使用する。
【０００３】
このような粉状化粧料容器では、長時間、容器を倒立又は傾斜した状態に置かれると、粉状化粧料が孔から過剰に漏れ出し、必要以上の粉状化粧料がパフに付着するという課題がある。これを解決するための粉状化粧料容器として、例えば、特許文献１には、仕切り板の上方に中皿を介在させ、仕切り板との間に計量室を設けたパウダー容器が開示されている。このパウダー容器によれば、中皿を設けることによって粉状化粧料の過剰な漏れ出しを解決することができる。
【先行技術文献】
【特許文献】
【０００４】
【特許文献１】特開平１０−２０１５３０号公報
【発明の概要】
【発明が解決しようとする課題】
【０００５】
上記の中皿を備えた粉状化粧料容器では、過剰な漏れ出しを解決できるものの、使用時に中皿を取り外す操作が必要となるため、中皿を有しない従来の粉状化粧料容器と比べて使用性に劣る。また、中皿を取り外した際に、中皿に付着したパウダーがこぼれたりするという問題がある。
【０００６】
本発明の課題は、中皿を有しない粉状化粧料容器において、適量の粉状化粧料を容易に抜き出すことが可能な粉状化粧料容器を提供することにある。
【課題を解決するための手段】
【０００７】
本発明者は、上記課題に対して鋭意検討した結果、塗布具を格納した際に、仕切り部と塗布具の間に粉末流入域を形成することにより、適量の粉状化粧料を容易に抜き出すことができることを見出し、本発明を完成した。
すなわち、本発明は、以下の粉状化粧料容器、化粧品、凸状部材および装飾具である。
【０００８】
上記課題を解決するための本発明の粉状化粧料容器は、粉状化粧料を保持する容器本体と、前記容器本体の開口部を閉塞する蓋体と、前記容器本体の内部を、粉状化粧料を収容するための粉末収容室と、塗布具を格納するための塗布具格納室に分割する仕切り部であって、前記粉状化粧料を透過する孔を有する仕切り部と、を備えた粉状化粧料容器において、前記塗布具格納室に塗布具を格納した際に、前記仕切り部と前記塗布具により粉末流入域を形成することを特徴とする。
【０００９】
この特徴によれば、仕切り部と塗布具との間に粉末流入域が形成されているため、適量の粉状化粧料を容易に抜き出すことができる。また、粉末流入域を形成する部材として、塗布具を利用するため、従来技術のように中皿を設ける必要がない。そのため、使用時に中皿を跳ね上げる操作がなく、使用性に優れた粉状化粧料容器を提供することができる。更には、部品点数が少なくなるため、低コスト化も実現することができる。
【００１０】
更に、本発明の粉状化粧料容器の一実施態様によれば、上記発明において、仕切り部又は容器本体内壁は、塗布具格納室に向かって突出する凸状部材を有し、塗布具を凸状部材に載置することにより粉末流入域を形成するという特徴を有する。
この特徴によれば、簡素な構造物によって、粉末流入域を形成することができる。
【００１１】
更に、本発明の粉状化粧料容器の一実施態様によれば、凸状部材は、孔を取り囲むように設置されるという特徴を有する。
この特徴によれば、仕切り部、塗布具、及び、凸状部材により取り囲まれた粉末流入域を形成することができるため、粉状化粧料の塗布具格納室への漏れが抑制される。そのため、ハンドバッグ等で携帯した際に、塗布具が粉状化粧料まみれになったり、蓋体を開けた際に粉末化粧料が飛散したりすることを防止できる。
【００１２】
更に、本発明の粉状化粧料容器の一実施態様によれば、凸状部材は、脱着可能であるという特徴を有する。
この特徴によれば、凸状部材のデザインや配置を使用者の好みに応じて適宜選択することができる。また、高さの異なる凸状部材を選択することにより、粉末流入域の容積を調整することができる。そのため、使用者の好みに応じて、粉末流入域に流入する粉状化粧料の流入量を調整することができる。
【００１３】
更に、本発明の粉状化粧料容器の一実施態様によれば、凸状部材は、仕切り部の孔に脱着可能であるという特徴を有する。
この特徴によれば、凸状部材により仕切り部の孔を閉塞できるため、取り付ける凸状部材の個数を調整することにより、粉末流入域への粉状化粧料の流入量を調整することができる。
【００１４】
更に、本発明の粉状化粧料容器の一実施態様によれば、凸状部材は、脱着可能な装飾具を備えるという特徴を有する。
この特徴によれば、凸状部材のデザインを使用者の好みに応じて適宜選択することができる。
【００１５】
また、本発明の化粧品は、上記発明の粉状化粧料容器、粉末収容室に収容された粉状化粧料を備えたことを特徴とする。
この発明によれば、適量の粉状化粧料を容易に抜き出すことが可能な化粧品を提供することができる。
【００１６】
また、本発明の凸状部材は、上記発明の粉状化粧料容器に取り付けることを特徴とする。
この発明によれば、種々のデザインや大きさの異なる凸状部材が提供され、使用者は好みに応じて粉状化粧料容器を装飾したり、粉末流入域への粉状化粧料の流入量を調整したりすることができる。
【００１７】
また、本発明の装飾具は、上記発明の粉状化粧料容器の凸状部材に取り付けることを特徴とする。
この発明によれば、粉状化粧料容器の凸状部材に取り付けるための種々の装飾具が提供され、使用者は好みに応じて粉状化粧料容器を装飾することができる。
【発明の効果】
【００１８】
本発明によれば、適量の粉状化粧料を容易に抜き出すことが可能な粉状化粧料容器を提供することができる。
【図面の簡単な説明】
【００１９】
【図１】本発明の第一の実施態様の粉状化粧料容器の構造を示す概略断面図である。
【図２】本発明の第一の実施態様の粉状化粧料容器の仕切り部の構造を示す概略説明図である。図２（Ａ）は、仕切り部の概略断面図である。図２（Ｂ）は、仕切り部の平面図である。
【図３】本発明の粉状化粧料容器の仕切り部の別の態様を示す概略説明図である。図３（Ａ）は、仕切り部の概略断面図である。図３（Ｂ）は、仕切り部の平面図である。
【図４】本発明の粉状化粧料容器の仕切り部の別の態様を示す概略説明図である。図４（Ａ）は、仕切り部の概略断面図である。図４（Ｂ）は、仕切り部の平面図である。
【図５】本発明の粉状化粧料容器の仕切り部の別の態様を示す概略説明図である。図５（Ａ）は、仕切り部の概略断面図である。図５（Ｂ）は、仕切り部の平面図である。
【図６】本発明の第二の実施態様の粉状化粧料容器の構造を示す概略断面図である。
【図７】本発明の第三の実施態様の粉状化粧料容器の構造を示す概略断面図である。
【図８】本発明の第四の実施態様の粉状化粧料容器の外観の構造を示す概略説明図である。図８（Ａ）は平面図、図８（Ｂ）は正面図、図８（Ｃ）は底面図である。
【図９】本発明の第四の実施態様の粉状化粧料容器の構造を示す概略断面図である。図９（Ａ）は、容器本体と蓋体の開閉構造の断面平面図を拡大した拡大図である。図９（Ｂ）は、容器本体と蓋体の開閉構造の断面側面図を拡大した拡大図である。
【図１０】本発明の第一の実施態様の粉状化粧料容器を用いた化粧品の構造を示す概略断面図である。
【図１１】本発明の第四の実施態様の粉状化粧料容器を用いた化粧品の構造を示す概略断面図である。図１１（Ａ）は、蓋体を開蓋した状態を示す概略説明図である。図１１（Ｂ）は、蓋体を閉蓋した状態を示す概略説明図である。
【図１２】本発明の第一の実施態様の粉状化粧料容器に格納する塗布具の構造を示す概略説明図である。図１０（Ａ）は平面図、図１０（Ｂ）は正面図である。
【発明を実施するための形態】
【００２０】
［粉状化粧料容器］
本発明の粉状化粧料容器は、粉状化粧料を保持する容器本体と、前記容器本体の開口部を閉塞する蓋体と、前記容器本体の内部を、粉状化粧料を収容するための粉末収容室と、塗布具を格納するための塗布具格納室に分割する仕切り部であって、前記粉状化粧料を透過する孔を有する仕切り部と、を備えた粉状化粧料容器において、前記塗布具格納室に塗布具を格納した際に、前記仕切り部と前記塗布具により粉末流入域を形成することを特徴とする粉状化粧料容器である。
【００２１】
次に、この発明の実施態様を、添付図面を参照して詳細に説明する。なお、この実施態様は、本発明を限定するものではない。
〔第一の実施態様〕
図１は、第一の実施態様の粉状化粧料容器１ａの構造を示す概略断面図である。図１に示すように、粉状化粧料容器１ａは、上方に開口部を有する容器本体２ａ、この開口部を閉塞する蓋体３ａ、容器本体２ａの内部を上下に分割する仕切り部４を備えている。そして、仕切り部４の下部に粉状化粧料を収容する粉末収容室６、上部に塗布具５を格納する塗布具格納室７が形成されている。
【００２２】
（容器本体）
容器本体２ａは、粉状化粧料を保持するための容器であり、仕切り部４により区画された粉末収容室６に粉状化粧料を収容している。仕切り部４には、粉状化粧料を通過する孔４ａが形成されており、粉末収容室６に収容された粉状化粧料は、孔４ａを介して塗布具格納室７側に抜き出すことができる。そして、塗布具格納室７に抜き出された粉状化粧料は、塗布具に付着させて容器本体２ａの開口部より取り出すことができる。
【００２３】
第一の実施態様の容器本体２ａの形状は、円筒状であるが、容器本体の形状は、特に制限されず、円筒状の他にも、角柱状、半球状等でもよい。
また、容器本体の材質は、特に制限されないが、例えば、プラスチック等の樹脂製、アルミ等の金属製、ガラス製等が挙げられる。
【００２４】
（蓋体）
蓋体は、容器本体の開口部を閉塞するためのものであり、第一の実施態様の蓋体３ａは、ネジ口式のキャップにより構成される。蓋体の構造としては、容易に開閉することができれば、どのような構造でもよく、ネジ口式の他にも、例えば、押栓式、片開き式、スライド式等が挙げられる。
【００２５】
蓋体の形状は、特に制限されず、容器本体と一体となって円筒形、キューブ形、球形等を形成してもよい。また、材質は、容器本体と同様としても、異なる材質のものを使用してもよい。
【００２６】
蓋体と容器本体は、パッキン等の密閉部材を備えていることが好ましい。密閉部材により、バッグ等で持ち運ぶ際に、激しく振動を与えても容器の外に粉状化粧料が漏れないという効果を奏する。
密閉部材の形状は、特に制限されず、容器本体や蓋体の形状に合わせて適宜設計すればよい。例えば、リング状や、平板状等が挙げられる。
【００２７】
（仕切り部）
仕切り部４は、容器本体２ａの内部を、粉状化粧料を収容するための粉末収容室６と、塗布具５を格納するための塗布具格納室７に分割するための構成である。仕切り部４は、容器本体２ａの内壁との当接部に小さな凸部を有し、容器本体２ａの内壁に形成された小さな凹部とを嵌合することにより、容器本体２ａに取り付けられている。また、仕切り部４は鍔部４ｂを有しており、容器本体２ａから容易に取り外すことが可能である。このように、仕切り部４と容器本体２ａを脱着可能な構成とすることにより、粉状化粧料の充填、補充を容易に行うことができる。なお、仕切り部を、蝶番を介して容器本体に取り付けて片開き開閉式としても、スライド開閉式としてもよい。また、充填性には劣るが、容器本体と一体に形成してもよい。
【００２８】
仕切り部４には、粉状化粧料が通過可能な孔４ａが形成されており、孔４ａを介して粉状化粧料を粉末収容室６から塗布具格納室７側に抜き出すことができる。孔４ａの数は、一つでも複数でもよい。抜き出し易さの観点から、複数の孔を有することが好ましい。
粉状化粧料の抜き出し操作は、粉状化粧料容器１ａを傾斜、倒立、上下反転又は振とうさせることにより、孔４ａから粉状化粧料を流出することができる。
【００２９】
図２には、第一の実施態様の仕切り部４の概略断面図（図２（Ａ））と平面図（図２（Ｂ））を示した。仕切り部４は、塗布具格納室７に向かって突出する複数の凸状部材４ｃを有しており、塗布具５を塗布具格納室７に格納すると、塗布具５と仕切り部４の間に粉状化粧料を流入するための粉末流入域８が形成される。そして、粉末流入域８が形成されることにより、塗布具５が孔４ａを閉塞しないため、粉状化粧料の抜き出し操作を容易に行うことができる。また、粉末流入域８の容積を調整することにより、粉状化粧料の流入量を調節することができる。なお、粉末流入域８の容積の調製は、凸状部材４ｃの高さを調整すればよい。
【００３０】
粉末流入域は、塗布具と仕切り部の間に空間を形成することが可能であれば、どのような構造物により構成されてもよい。例えば、仕切り部又は容器本体の内壁に凸状部材を設ける構成や、塗布具に凸状部材を設ける構成等が挙げられる。その他にも、塗布具を蓋体の内側（粉状化粧料容器の天面）に取り付け、塗布具と仕切り部の間に空間を形成してもよい。簡単な構造物により粉末流入域を形成できるという観点から、凸状部材を設けることが好ましい。
【００３１】
図３〜図５には、種々の態様の凸状部材を備えた仕切り部を図示した。
図３に示す仕切り部４１は、第一の実施態様の仕切り部４の構成に加えて、複数の孔４ａを囲うように形成された凸状部材４ｄを備えた構成である。この仕切り部４１によれば、粉末流入域８が塗布具５、仕切り部４１、凸状部材４ｄにより囲われるため、粉末流入域８に流出した粉状化粧料が塗布具５の裏側に回って塗布具５を汚したり、蓋体３ａを開放した際に、粉状化粧料が飛散したりするのを抑制することができる。
なお、塗布具５の高さを、塗布具格納室７の高さより大きく設計することが好ましい。これにより、蓋体３ａを容器本体２ａに取り付けた際に、蓋体３ａにより塗布具５が押下され、塗布具５と凸状部材４ｄの頂部を密着させることができる。
【００３２】
図４に示す仕切り部は、第一の実施態様の仕切り部４の凸状部材４ｃに、脱着可能な装飾具１１を備えた構成である。装飾具１１は、様々な意匠性のある色彩や形状の構造物、例えば、宝石のような色付きの石を模したもの等が挙げられる。装飾具１１により、凸状部材４ｃのデザインを使用者の好みに応じて適宜選択することができる。また、凸状部材４ｃの高さも調整可能となるため、粉末流入域８へ流入する粉状化粧料の量を調整することができる。
【００３３】
図５に示す仕切り部４２は、孔４ａに脱着可能な凸状部材４ｅを備えた構成である。この凸状部材４ｅによれば、孔４ａを閉塞することができるため、凸状部材４ｅの設置個数に応じて、粉末流入域８へ流入する粉状化粧料の量を調整することができる。また、脱着可能であるため、凸状部材のデザインや高さを選択することができる。これにより、凸状部材のデザインや配置を使用者の好みに応じて適宜選択したり、粉末流入域８の容積を調整したりすることができる。
【００３４】
〔第二の実施態様〕
図６は、第二の実施態様の粉状化粧料容器１ｂの構造を示す概略断面図である。第二の実施態様の粉状化粧料容器１ｂは、仕切り部４３の内側の壁に沿って凸状部材４ｆが形成された構成である。この構成によれば、上記の凸状部材４ｄと同様、粉末流入域８に流出した粉状化粧料が塗布具５の裏側に回って塗布具５を汚したり、蓋体３ｂを開放した際に、粉状化粧料が飛散したりするのを抑制することができる。
【００３５】
〔第三の実施態様〕
図７は、第三の実施態様の粉状化粧料容器１ｃの構造を示す概略断面図である。
第三の実施態様の粉状化粧料容器１ｃは、仕切り部４４が容器本体２ｃと一体的に形成され、更に凸状部材４ｇが容器本体２ｃの内壁から塗布具格納室７の方向へ向かって突設した構成である。
この粉状化粧料容器１ｃによれば、部品点数が少なく、部品コストを低減することができる。
【００３６】
また、第三の実施態様の粉状化粧料容器１ｃは、密閉部材１２ａとして環状のパッキンを備えた構成である。これにより、バッグでの持ち運び等、激しく振動を与えても粉状化粧料が容器の外に漏れないという効果がある。
【００３７】
〔第四の実施態様〕
図８及び図９に、第四の実施態様の粉状化粧料容器１ｄの構造を示す。図８（Ｂ）に示すように、粉状化粧料容器１ｄは、底部に丸みを帯びた形状の容器本体２ｄ、天面にやや膨らみを有する蓋体３ｄにより構成されている。また、図９に示すように、容器本体２ｄの内部には、第１の実施態様の粉状化粧料容器１ａと同様、仕切り部４が取り付けられている。
【００３８】
蓋体３ｄの内側（粉状化粧料容器１ｄの内部の天面）には、密閉部材１２ｂとして円形のシート状のパッキンが貼付しており、蓋体３ｄで容器本体３ｄの開口部を閉塞した際に、当該パッキンと仕切り部４が当接するように構成されている。蓋体３ｄの内側を覆うシート状のパッキンによれば、環状のパッキンと比べて簡素な構造物となるため、パッキンの周囲に粉状化粧料が堆積しにくいという効果を奏する。
【００３９】
図９（Ａ）及び図９（Ｂ）には、容器本体２ｄと蓋体３ｄの開閉構造を示す。図９（Ｂ）に示すように、第四の実施態様の粉状化粧料容器１ｄでは、容器本体２ｄの外壁に断続的に形成されたネジ山１３と、蓋体３ｄの内壁に突設して形成された突片１４とを有しており、ネジ山１３と突片１４をネジ締めすることにより蓋体３ｄを開閉することができる。
【００４０】
また、図９（Ａ）に示すように、蓋体３ｄのロック機構として、ネジ山１３の下方の１カ所に凹部１５が形成されている。このロック機構によれば、突片１４をネジ締めすると、突片１４が凹部１５に嵌合し、突片１４の移動を制限する。
【００４１】
［化粧品］
本発明の化粧品は、上記の本発明の粉状化粧料容器と、前記粉末収容室に収容された粉状化粧料を備えたことを特徴とするものである。以下に本発明の化粧品の実施態様を、添付図面を参照して詳細に説明する。
【００４２】
図１０には、本発明の化粧品の実施態様１として、本発明の第一の実施態様の粉状化粧料容器１ａを用いた化粧品１０ａの構造を示す。図１０に示すように、化粧品１０ａは、第一の実施態様の粉状化粧料容器１ａの粉末収容室６に粉末化粧料９を充填し、塗布具格納室７に塗布具５を格納した構成である。
【００４３】
（粉状化粧料）
粉状化粧料９は、粉状化粧料容器１ａを傾斜、倒立、上下反転又は振とうした際に、孔４ａから流出するような流動性を有する粉状の化粧料である。例えば、ファンデーション、フェイスカラー、おしろい、ベビーパウダー等の化粧料を例示することができる。
【００４４】
（塗布具）
塗布具５は、粉状化粧料９の塗布に使用するものであり、また、塗布具格納室７に格納した際に仕切り部４との間に空間を形成するものである。具体的には、例えば、パフや刷毛等が挙げられる。粉状化粧料９が塗布具格納室７を汚染しないように複数の孔４ａを広く覆うという観点から、パフが好ましい。
【００４５】
図１２に、塗布具５の一例としてパフの構造を示す。図１２（Ａ）に示すように、塗布具５は、塗布具格納室７の径よりわずかに縮径した円形状のパフ本体５ａと、パフ本体５ａの片面に指挿入用帯５ｂを備えた構成である。パフ本体５ａの材質は、粉状化粧料９を付着できれば特に制限されないが、例えば、スポンジ、綿、布等が挙げられる。
【００４６】
指挿入用帯５ｂは、両端をパフ本体５ａに固定され、パフ本体５ａと指挿入用帯５ｂの間に指を挿入できるように構成されている。指挿入用帯５ｂの材質は、例えば、布、ポリ塩化ビニル、ゴム等の軟質の合成樹脂等が挙げられる。
【００４７】
なお、本発明の化粧品１０ａと塗布具５は、別体として流通してもよい。
また、本発明の化粧品１０ａを流通する際には、粉状化粧料９が粉末収容室６からこぼれ出ないように、仕切り部の孔４ａをシール等で閉塞することが好ましい。
【００４８】
図１１には、本発明の化粧品の実施態様２として、本発明の第四の実施態様の粉状化粧料容器１ｄを用いた化粧品１０ｂの構造を示す。図１１に示すように、実施態様１の化粧品１０ａと同様、第四の実施態様の粉状化粧料容器１ｄの粉末収容室６に粉末化粧料９を充填し、塗布具格納室７に塗布具５を格納した構成である。
【００４９】
図１１（Ａ）に示すように、実施態様２の化粧品１０ｂでは、塗布具５の高さが、塗布具格納室７の高さ（仕切り部４の凸状部材４ｃの頂部から蓋体３ｄの内面に貼付された密閉部材１２ｂまでの高さ）より大きくなるように構成されている。この構成によれば、蓋体３ｄで容器本体２ｄを閉塞した際に、パフ本体５ａが蓋体３ｄにより押しつぶされて、仕切り部４の孔４ａを覆うため（図１１（Ｂ）参照。）、粉状化粧料９が塗布具格納室７にこぼれ出ることを防止するという効果を奏する。
【００５０】
なお、実施態様２の化粧品１０ｂの使用においては、蓋体３ｄを開蓋した状態（図１１（Ａ）参照。）で、塗布具５を上から軽く指で押さえながら容器本体２ｄを傾斜、倒立、上下反転又は振とうすることにより粉状化粧料９を粉末流入域８に流入させることができる。
【００５１】
［装飾具］
本発明の装飾具は、粉状化粧料容器の仕切り部に具備される凸状部材に取り付けることが可能な形状を有するものである。
本発明の装飾具は、凸状部材に取りつけた際に、凸状部材を上方から見える部分を意匠性のある形状や色彩、例えば宝石のような色付きの石を模したもの等にして見栄えをよくすることが可能である。
【産業上の利用可能性】
【００５２】
本発明によれば、粉状化粧料を容易に取り出すことができ、適量の粉状化粧料を塗布具に付着することができる粉状化粧料容器および化粧品を提供することができる。
【００５３】
また、本発明によれば、上記粉状化粧料容器の凸状部材を装飾するための種々の装飾品や、デザインや大きさの異なる種々の凸状部材を提供することができる。
【符号の説明】
【００５４】
１ａ，１ｂ，１ｃ，１ｄ…粉状化粧料容器、２ａ，２ｂ，２ｃ，２ｄ…容器本体、３ａ，３ｂ，３ｃ，３ｄ…蓋体、４，４１，４２，４３，４４…仕切り部、４ａ…孔、４ｂ…鍔部、４ｃ，４ｄ，４ｅ，４ｆ，４ｇ…凸状部材、５…塗布具、５ａ…パフ本体、５ｂ…指挿入用帯、６…粉末収容室、７…塗布具格納室、８…粉末流入域、９…粉状化粧料、１０ａ，１０ｂ…化粧品、１１…装飾具、１２ａ，１２ｂ…密閉部材、１３…ネジ山、１４…突片、１５…凹部
【図１】
2018020006.tif 000003
【図２】
2018020006.tif 000004
【図３】
2018020006.tif 000005
【図４】
2018020006.tif 000006
【図５】
2018020006.tif 000007
【図６】
2018020006.tif 000008
【図７】
2018020006.tif 000009
【図８】
2018020006.tif 000010
【図９】
2018020006.tif 000011
【図１０】
2018020006.tif 000012
【図１１】
2018020006.tif 000013
【図１２】
2018020006.tif 000014